(57)【特許請求の範囲】
【請求項１】
簡易便器の下に敷く防水シートであって、該防水シート本体の表面には多数の弾性突起を形成し、裏面には全面的に軟質合成樹脂からなる第１の遮水兼滑り止め層が設けられ、更に該防水シート本体の裏面４つの角部には軟質合成樹脂からなる第２の遮水兼滑り止め層が設けられていることを特徴とする簡易便器用防水シート。
【請求項２】
上記防水シート本体の周縁には縁取り材を被覆することによって剛性が高められている請求項１に記載の簡易便器用防水シート。
【発明の詳細な説明】
【技術分野】
【０００１】
本発明は簡易便器の下に敷いて、簡易便器からの水、汚水が床にこぼれないようにするための簡易便器用防水シートに関するものである。
【背景技術】
【０００２】
従来、この種の防水シートとしては、例えば、表面が立毛ボア編み物層の裏面に合成ゴムバッキング層を設けた構成（例えば特許文献１参照）、マットの裏面に防水性フィルム体を設けた構成（例えば特許文献２参照）等が提供されている。
【０００３】
【特許文献１】登録実用新案第３０５９４１５公報
【特許文献２】実用新案登録第３０９４３２５号公報
【発明の開示】
【発明が解決しようとする課題】
【０００４】
上記構成の防水シートは、その上に人が乗った時、滑り易く転倒し易いと云う問題点があった。特に簡易便器は身障者、老人、病人等が使用するので、このような防水シートを使用することは、極めて危険な状態を招くことになる。
【課題を解決するための手段】
【０００５】
本発明は上記従来の課題を解決するための手段として、簡易便器１の下に敷く防水シート２，１２であって、該防水シート本体３，１３の表面には多数の弾性突起４，１４を形成し、裏面には全面的に軟質合成樹脂からなる第１の遮水兼滑り止め層５が設けられ、更に該防水シート本体３，１３の裏面４つの角部には軟質合成樹脂からなる第２の遮水兼滑り止め層７が設けられている簡易便器用防水シート２，１２を提供するものである。
上記防水シート本体３，１３の周縁には縁取り材８，１８を被覆することによって剛性が高められていることが望ましい。
【発明の効果】
【０００６】
〔作用〕
請求項１
請求項１の防水シート２は簡易便器１の下に敷いて、簡易便器１からこぼれる水や汚水を受けて床Ｆが汚れるのを防止する。そして該防水シート本体３の表面には、多数の弾性突起４が形成されているから、その上に人が乗っても弾性突起４によって足が滑ることが防止される。
更に該防水シート本体３の裏面には全面的に軟質合成樹脂からなる遮水兼滑り止め層５が設けられているから、該繊維シート２に上から垂直でない荷重がかかっても、該防水シート２は床に対して滑らない。
更に該防水シート本体の裏面４つの角部には軟質合成樹脂からなる第２の遮水兼滑り止め層７が設けられているから、該防水シート本体の４つの角部における剛性が強化され、角部からのめくれ上がりが防止される。
【０００７】
請求項２
【０００８】
上記該防水シート本体３の周縁に縁取り材８を被覆すると、その剛性によって該防水シート２のめくれ上りが防止される。
【０００９】
〔効果〕
本発明の防水シートは簡易便器から水や汚水がこぼれても床が汚れないようにし、また簡易便器の使用者が上に乗っても足が滑らず安全である。
【発明を実施するための最良の形態】
【００１０】
本発明を図１〜図２に示す一実施例によって説明すれば、１は携帯用便器であり、該携帯用便器１は床Ｆ上に敷設された防水シート２上に載置されている。
【００１１】
図２に示すように、該防水シート２の本体３は合成繊維シートからなる。該合成繊維としては、例えばポリエステル繊維、ポリアミド繊維、アクリル繊維、ポリエチレン繊維、ポリプロピレン繊維、ビニリデン繊維、ポリ塩化ビニル繊維、ポリウレタン繊維、ビニロン、レーヨン、キュプラ、アセテート繊維等が使用されるが、本実施例の場合にはポリエステル繊維：アクリル繊維＝７０：３０質量比の混合繊維が使用され、該繊維はニードルパンチングあるいは合成樹脂バインダー等で絡合あるいは結着されて繊維シートとなる。
【００１２】
上記繊維シート本体３の表面には多数の弾性突起４が形成されている。上記弾性突起４は、例えば軟質なアクリル樹脂、酢酸ビニル樹脂、塩化ビニル樹脂、酢酸ビニル−エチレン共重合体、ウレタン樹脂、シリコン樹脂等の合成樹脂や、アクリルゴム，ブチルゴム、ケイ素ゴム、ウレタンゴム、フッ化物系ゴム、多硫化物系ゴム、グラフトゴム、ブタジエンゴム、ポリブタジエン、イソプレンゴムソプレン、クロロプレンゴム、ポリイソブチレンゴム、ポリブテンゴム、スチレン−ブタジエンゴム、アクリロニトリル−ブタジエンゴム、ピリジン−ブタジエンゴム、スチレン−イソプレンゴム、あるいはスチレン−エチレン共重合体、ポリスチレン−ポリブタジエン−ポリスチレン、ポリスチレン−ポリイソプレン−ポリスチレン、ポリ（α−メチルスチレン）−ポリブタジエン−ポリ（αメチルスチレン）、ポリ（αメチルスチレン）−ポリイソプレン−ポリ（α−メチルスチレン）、エチレン−プロピレン共重合体，ブタジエン−スチレン共重合体、エチレン−プロピレン−エチリデン共重合体、エチレン−プロピレン−ジエン共重合体、エチレン−プロピレン共重合体ゴム、エチレン−ブテン−１共重合体ゴム、エチレン−プロピレン−エチルデンノルボルネン共重合体ゴム、エチレン−プロピレン−ジシクロペンタジエン共重合体ゴム、エチレン−プロピレン−１，４ヘキサジエン共重合体ゴム、エチレン−ブテン−１−エチリデンノルボルネン共重合体ゴム、エチレン−ブテン−１−ジシクロペンタジエン共重合体ゴム、エチレン−ブテン−１−１，４ヘキサジエン共重合体ゴム、アクリロニトリル−クロロプレンゴム、スチレン−クロロプレンゴム等のゴム、スチレン−ブタジエン−スチレン共重合体、スチレン−イソプレン−スチレン共重合体、スチレン−水素添加ポリオレフィン−スチレン共重合体等エラストマー等からなる。
本実施例の場合は液状シリコン樹脂をオフセット印刷し、加熱乾燥硬化させることによって弾性突起４が形成される。また図３に示すように該弾性突起４の縦横間隔Ｉは等しく、２．５〜３．０ｍｍの範囲に設定し、斜め位置にある対角的弾性突起４の角度θは６０°に設定されている。
【００１３】
上記構成の防水シート本体３の裏面には軟質合成樹脂フィルムからなる第１の遮水兼滑り止め層５が全面的に接着されており、更に該防水シート本体３の裏面の４つ角部にはホットメルトフィルム６を介して軟質合成樹脂からなる第２の遮水兼滑り止め層７が熱接着されており、更に該防水シート本体３の周縁には合成繊維織布からなる縁取り材８が縫着９されている。
【００１４】
上記第１の遮水兼滑り止め層５は例えばポリエチレン、ポリプロピレン等のオレフィン樹脂のフィルム、ポリエステルフィルム、ポリ塩化ビニルフィルム、ポリウレタンフィルム等のプラスチックフィルムや、アクリル樹脂、スチレン−ブタジエン樹脂、ウレタン樹脂、酢酸ビニル樹脂、酢酸ビニル−エチレン共重合体のエマルジョンや溶液の塗布層からなる。また上記ホットメルトフィルム６は、例えばポリエチレン、低融点ポリエステル、ポリアミド等からなる。更に上記第２の遮水兼滑り止め層７は上記第１の遮水兼滑り止め層５と同様な合成樹脂からなるが、更に軟質で床Ｆに対する密着性のあるものを選択する。
本実施例では第１の遮水兼滑り止め層５はポリウレタンフィルム、ホットメルトフィルム６はポリエステルフィルム、第２の遮水兼滑り止め層７はポリウレタンフィルムである。
【００１５】
上記第２の遮水兼滑り止め層７と上記ホットメルトフィルム６とによって防水シート２の角部が補強され、防水シート２の角部におけるめくれ上がりが防止される。なお第２の遮水兼滑り止め層７はホットメルトフィルム６によって防水シート本体３の全面にわたって貼着されてもよい。
【００１６】
上記構成では該防水シート２上に人が乗っても、弾性突起４のために足が滑ることを防止される。また該防水シート２上に斜めから負荷が及ぼされても、第２の遮水兼滑り止め層７が床Ｆに密着しており、防水シート２が床Ｆ上を移動することが防止される。更に該防水シート２上に水や汚水がこぼれても、該防水シート本体３は合成繊維シートであるから、吸水作用によって床Ｆにこぼれない。しかし該合成繊維シート本体３の裏面には第１の遮水兼滑り止め層５が設けられているから、該防水シート本体３に浸透した水や汚水は床Ｆには達しない。更に該防水シート本体３には縁取り材８が縫着９されているから、該防水シート２はその剛性によってめくり上らず、床Ｆに密着する。
【００１７】
図４には本発明の参考例が示される。この参考例の防水シート１２の本体１３を構成する繊維シートは３層に分割されており、上層１３Ａは吸水拡散性を有し、該防水シート１２上にこぼれた水や汚水を吸水し拡散させる層であり、中間層１３Ｂは保水性を有し、該上層１３Ａから移行した水を保持する層である。下層１５は撥水性を有し、中間層１３Ｂに保持されている水を撥水して下に漏洩しないようにする撥水層である。
【００１８】
該本体１３は具体的にはポリエステル繊維からなり、上層１３Ａは密度を高くしても毛細管現象によって水を吸収拡散し易くする。また中間層１３Ｂは密度を低くして保水性を付与し、更に下層（撥水層）は例えばシリコン処理等の撥水処理を施す。
【００１９】
該本体１３表面に形成される多数の弾性突起１４はシリコン樹脂からなり、また該本体１３裏面に積層される遮水兼滑り止め層１７は軟質アクリル樹脂エマルジョンを機械的に発泡させ塗布乾燥させることにより形成される発泡軟質アクリル樹脂であり、該遮水兼滑り止め層１７は床Ｆに密着して該防水シート１２の滑り止めを行なう。
本参考例でも該本体１３には縁取り材１８が縫着１９されている。
【産業上の利用可能性】
【００２０】
本発明の防水シートは簡易便器からこぼれる水や汚水を受けて床が汚れないようにし、更に身障者、老人、病人等がその上に乗っても足がすべることもなく、また防水シートが床上でずれることもないので、転倒することが防止され、安全に使用出来る。
【図面の簡単な説明】
【００２１】
図１〜図３は本発明の一実施例を示すものである。
【図１】防水シート使用状態斜視図
【図２】防水シート角部側断面図
【図３】弾性突起配置図
【図４】参考例の部分側断面図
【符号の説明】
【００２２】
１        簡易便器
２，１２  防水シート
３，１３  防水シート本体
４，１４  弾性突起
５        第１の遮水兼滑り止め層
７        第２の遮水兼滑り止め層
１７      遮水兼滑り止め層
８，１８  縁取り材
１３Ａ    上層
１３Ｂ    中間層
１５      下層（撥水層）
【図１】
0004664756.tif 000002
【図２】
0004664756.tif 000003
【図３】
0004664756.tif 000004
【図４】
0004664756.tif 000005